(57)【特許請求の範囲】
【請求項１】
側面に、操作レバーの押し込み状態をロックするロックボタンを備えたスイッチ本体と、
前記ロックボタンを取り付けるためのロックボタン嵌合部の下部側に貫通させて形成されたガイド溝に係合して前記ロックボタンの係合状態をガイドするガイドレールを備えた操作レバーと、
を備え、
前記ロックボタンには、中心軸から延設した先端部にＵ字型形状の長円に形成した抜止鍔部を備え、
前記ロックボタン嵌合部には、前記抜止鍔部を挿通させる形状のＵ字型形状の長円に形成されたロックボタン挿入孔を備え、
前記ロックボタン挿入孔に、前記ロックボタンの抜止鍔部をロックボタン挿入孔の形状に合わせて挿通させ、挿通した抜止鍔部を回動させることで前記ロックボタン挿入孔の出口端に抜止鍔部の長さ方向の端縁を係合させ、
前記ガイドレールには、前記ロックボタン挿入孔に装着されたロックボタンの抜止鍔部の短手方向の端部を挟むためのガイド部を設けたことを特徴とするトリガースイッチ。
【請求項２】
前記ロックボタン挿入孔の孔の配置は、前記ガイド溝を横切る方向に長円の長さ方向を配置したことを特徴とする請求項１に記載のトリガースイッチ。
【発明の詳細な説明】
【技術分野】
【０００１】
本発明はトリガースイッチに関し、詳しくは、電動工具用スイッチに使用されているスイッチに設けてあるところの操作レバーを引き込んだ状態をロックするロックボタンの改良に関するもので、特にロックボタンを組み立てる際に治工具を必要としないで組み立ての簡素化を図ったロックボタンの構造に関する。
【背景技術】
【０００２】
従来技術における電動工具用スイッチは、図１３及び図１４に示すように、ロックボタン１１１を側面に有するスイッチ本体１１２と、ロックボタン１１１のロック状態を維持するためのボタンロックガイド穴１１４を設けたガイドレール１１３を備えた操作レバー１１５とを備えた構成になっている。
【０００３】
スイッチ本体１１２は、図示しないモータの回転数を制御する回転数制御基板や回転速度を変更・調整するためのスイッチ機構を内部に収容し、側面に操作レバー１１５の摺動方向に沿ってガイドレール１１３を摺動自在に収容する所定幅に切欠いて形成されたガイド溝１１６を設け、そのガイド溝１１６の略中央位置であって溝を跨ぐように形成されたロックボタン１１１を係合係止するロックボタン嵌合部１２１を備えた構成になっている。
【０００４】
操作レバー１１５は、スイッチ本体１１２内部に収納されているスイッチ機構に取り付けられている図示しないスプリングによってスイッチ本体から離れる方向に常時付勢されているもので、操作レバー１１５を押し込むとモータが始動し、更に、押し込むことによって回転速度が変更し、また、押圧を解除すると、スプリングの付勢力によって押圧前の位置に戻ってモータが停止するようになっている。
【０００５】
また、操作レバー１１５を最大限に押し込むことによって、所謂、フルストロークの状態になり、そのときにロックボタン１１１を押すことでフルストロークの状態を維持させることができる。このフルストロークの状態を解除するには、操作レバー１１５を押し込む動作をすることでロックボタン１１１が解除され、フルストロークの状態が解除される。
このような操作レバー１１５には、操作レバー１１５の片側片から平板形状で突出して形成したガイドレール１１３を備えている。このガイドレール１１３は、スイッチ本体１１２に設けてあるガイド溝１１６に係合するもので、平板形状に形成した略中央位置に略真円形状に形成したボタンロックガイド穴１１４を設けた構造となっている。
【０００６】
このボタンロックガイド穴１１４は、ロックボタン１１１の中心ノブ１２３の先端に設けてある抜止鍔部１２４に係合するもので、全体として真円形状に形成し、その先端側の穴の内径にテーパを施した構造となっている。
【０００７】
ロックボタン１１１は、図１４、図１５及び図１６に示すように、傘状に形成され、周囲にアールを施した円筒形状に形成された押しボタン部１２２と、押しボタン部１２２の裏側中心位置から突出形成された中心ノブ１２３を備え、この中心ノブ１２３の先端にロックボタン１１１をロックするための鍔状に形成した抜止鍔部１２４を備え、押しボタン部１２２の裏側にはバネ１２５を係合するスペースを有するバネ係合凹部１２６を備えた構造となっている。
【０００８】
中心ノブ１２３及び抜止鍔部１２４は真円形状に形成されており、特に抜止鍔部１２４はスイッチ本体１１２に設けてあるロックボタン嵌合部１２１のボタン挿入孔１３１に圧入により装着する構造となっている。
【０００９】
ロックボタン嵌合部１２１は、図１４及び図１７に示すように、ガイド溝１１６の略中央位置に配置され、円筒形状のロックボタン１１１が係合できるように、全体として円筒形状に形成され、外側の筒である外側筒１２７と外側筒１２７よりも縮径に形成された内側筒１２８と、外側筒１２７と内側筒１２８との間のスペースがバネを係合するバネ係合凹部１２９とし、内側筒１２８の内側がロックボタン１１１の中心ノブ１２３及び抜止鍔部１２４を挿通させるためのボタン挿入孔１３１を形成する。
【００１０】
ボタン挿入孔１３１には、内側方向に突出形成した圧入部材１１８を設けた構造となっており、ボタン挿入孔１３１にロックボタン１１１を取り付ける際に抜止鍔部１２４を圧入して押し込むことで係合係止する。
【００１１】
圧入部材１１８は、内側筒１２８の内径から内側方向に突出形成させたもので、ロックボタン１１１の抜止鍔部１２４を圧入により差し込むと、次に抜止鍔部１２４が圧入部材１１８に係合して抜け止めとして機能する。
【００１２】
このような構造からなるロックボタン１１１及びロックボタン嵌合部１２１における組み立ては、先ず、ロックボタン嵌合部１２１のバネ係合凹部１２９にバネ１２５を差し込み、ロックボタン１１１のバネ係合凹部１２６にバネ１２５を係合させ、ロックボタン１１１の中心ノブ１２３の先端側の抜止鍔部１２４をロックボタン嵌合部１２１のボタン挿入孔１３１に差し込み、圧入部材１１８に圧入させて差し込んでロックボタン１１１を組み立てる。圧入で差し込んだ抜止鍔部１２４は圧入部材１１８で抜止される。
【００１３】
図１８、図１９、図２０に示すものは、ロックボタン１１１を組み立て、ロックされていない、所謂、ロックオフの状態を示したもので、操作レバー１１５はスイッチ本体１１２内部に収容されているバネにより外方向に付勢され、ガイドレール１１３はガイド溝１１６に収容されロックボタン１１１の位置から外れた位置にボタンロックガイド穴１１４が対峙した状態となる。そのため、ロックボタン１１１を押してもガイドレール１１３の表面でブロックされ、ロックできない。
【００１４】
図２１、図２２、図２３に示すものは、ロックボタン１１１を組み立て、ロックされている、所謂、ロックオンの状態を示したもので、操作レバー１１５を押し込んだ状態のときにボタンロックガイド穴１１４にロックボタン１１１の抜止鍔部１２４が臨んだ状態となり、この状態のときにロックボタン１１１を押すことによりボタンロックガイド穴１１４に抜止鍔部１２４が入り込み、抜止鍔部１２４の側面にボタンロックガイド穴１１４の開口端部が当接した状態となり抜止鍔部１２４がボタンロックガイド穴１１４の端部に係合してロックし、その状態を維持する。
このロックは、ロックされている操作レバー１１５を更に少し引き込むことで、ボタンロックガイド穴１１４に係止している抜止鍔部１２４が外れ、バネ１２５の付勢力によりロックボタン１１１が外れる方向に動き抜止鍔部１２４がボタンロックガイド穴１１４から外れた外方向に動くことによりロック状態は簡単に外すことができるのである。
【先行技術文献】
【特許文献】
【００１５】
【特許文献１】特開２００８−６２３４６
【発明の概要】
【発明が解決しようとする課題】
【００１６】
しかしながら、従来技術で説明したロック機構においては、ロックボタンはスイッチ本体のロックボタン嵌合部に対して圧入により嵌合する構造となっており、圧入したときに捲れ等のロックの引っ掛かりが悪くなりトリガーロック不良を起こすという問題がある。
又、組み立てにおいては正しく真上からロックボタンを圧入する必要があり、そのため冶具を利用して圧入する必要があり、冶具を使用することで組み立てに時間がかかるという問題もある。
【００１７】
従って、ロックボタンを組み立てるときの圧入による組み立てを回避して圧入方式から挿入後回動させる構造にしてロックボタンの捲れを無くし、トリガーロック不良を無くすこと、及び冶具を使用しないで組み立てることができるように簡素化することに解決しなければならない課題を有する。
【課題を解決するための手段】
【００１８】
上記課題を解決するために、本願発明のトリガースイッチは、次に示す構成にすることである。
【００１９】
（１）トリガースイッチは、
側面に、操作レバーの押し込み状態をロックするロックボタンを備えたスイッチ本体と、
前記ロックボタンを取り付けるためのロックボタン嵌合部の下部側に貫通させて形成されたガイド溝に係合して前記ロックボタンの係合状態をガイドするガイドレールを備えた操作レバーと、
を備え、
前記ロックボタンには、中心軸から延設した先端部にＵ字型形状の長円に形成した抜止鍔部を備え、
前記ロックボタン嵌合部には、前記抜止鍔部を挿通させる形状のＵ字型形状の長円に形成されたロックボタン挿入孔を備え、
前記ロックボタン挿入孔に、前記ロックボタンの抜止鍔部をロックボタン挿入孔の形状に合わせて挿通させ、挿通した抜止鍔部を回動させることで前記ロックボタン挿入孔の出口端に抜止鍔部の長さ方向の端縁を係合させることである。
（２）  前記ロックボタン挿入孔の孔の配置は、前記ガイド溝を横切る方向に長円の長さ方向を配置したことを特徴とする（１）に記載のトリガースイッチ。
（３）  前記ガイドレールには、前記ロックボタン挿入孔に装着されたロックボタンの抜止鍔部の短手方向の端部を挟むためのガイド部を設けたことを特徴とする（１）に記載のトリガースイッチ。
【発明の効果】
【００２０】
本発明に係るトリガースイッチは、ロックボタンの先端に設けた抜止鍔部の形状をＵ字型形状の長円に形成し、この抜止鍔部を挿入するロックボタン挿入孔も同じ形状にして、このロックボタン挿入孔に抜止鍔部を遊嵌合して挿入し、回動させて抜止させるようにしたことで、組み立て時に無理な応力を発生させることがないため、組み立て時における損傷を皆無にすることができる。
又、組み立て時に正確に押し込む操作等が必要ないため、特別な冶具を必要としないで組み立てることができ組み立ての簡素化及び組み立て時間を短縮することができる。
【図面の簡単な説明】
【００２１】
【図１】本発明に係るトリガースイッチの全体斜視図である。
【図２】同、トリガースイッチの構成部品を分解して示した斜視図である。
【図３】同、トリガースイッチの構成部品を背面からみた斜視図である。
【図４】同、ロックボタンの全体斜視図である。
【図５】同、ロックボタンの底面からみた平面図である。
【図６】同、スイッチ本体に設けてあるロックボタン嵌合部の平面図である。
【図７】同、トリガースイッチのロックオフ状態のときの正面図である。
【図８】同、図７における断面Ａ−Ａの断面図及び部分拡大して示した断面図である。
【図９】同、図７における断面Ｂ−Ｂの断面図及び部分拡大して示した断面図である。
【図１０】同、トリガースイッチのロックオン状態のときの正面図である。
【図１１】同、図１０における断面Ａ−Ａの断面図及び部分拡大して示した断面図である。
【図１２】同、図１０における断面Ｂ−Ｂの断面図及び部分拡大して示した断面図である。
【図１３】従来技術におけるトリガースイッチの全体斜視図である。
【図１４】同、トリガースイッチの構成部品を分解して示した斜視図である。
【図１５】同、ロックボタンの全体斜視図である。
【図１６】同、ロックボタンの底面からみた平面図である。
【図１７】同、スイッチ本体に設けてあるロックボタン嵌合部の平面図である。
【図１８】同、トリガースイッチのロックオフ状態のときの正面図である。
【図１９】同、図１８における断面Ａ−Ａの断面図及び部分拡大して示した断面図である。
【図２０】同、図１８における断面Ｂ−Ｂの断面図及び部分拡大して示した断面図である。
【図２１】同、トリガースイッチのロックオン状態のときの正面図である。
【図２２】同、図２１における断面Ａ−Ａの断面図及び部分拡大して示した断面図である。
【図２３】同、図２１における断面Ｂ−Ｂの断面図及び部分拡大して示した断面図である。
【発明を実施するための最良の形態】
【００２２】
本願発明に係るトリガースイッチの実施形態について、図面を参照して説明する。
【００２３】
本発明に係るトリガースイッチは、図１乃至図３に示すように、ロックボタン１１を側面に有するスイッチ本体１２と、ロックボタン１１のロック状態を維持するためのボタンロックガイド穴１４を設けたガイドレール１３を備えた操作レバー１５とを備えた構成になっている。
【００２４】
スイッチ本体１２は、図示しないモータの回転数を制御する回転数制御基板や回転速度を変更・調整するためのスイッチ機構を内部に収容し、側面に操作レバー１５の摺動方向に沿って操作レバー１５のガイドレール１３を摺動自在に収容する所定幅に切欠いて形成されたガイド溝１６を設け、そのガイド溝１６の略中央位置であってガイド溝１６を跨ぐように形成されたロックボタン１１を係合係止するロックボタン嵌合部２１を備えた構成になっている。
【００２５】
操作レバー１５は、スイッチ本体１２内部に収納されているスイッチ機構に取り付けられている図示しないスプリングによってスイッチ本体１２から離れる方向に常時付勢されているもので、操作レバー１５を押し込むとモータが始動し、更に、押し込むことによって回転速度が変更し、また、押圧を解除すると、スプリングの付勢力によって押圧前の位置に戻ってモータが停止するようになっている。
【００２６】
また、操作レバー１５を最大限に押し込むことによって、所謂、フルストロークの状態になり、そのときにロックボタン１１を押すことでフルストロークの状態を維持させることができる。このフルストロークの状態を解除するには、操作レバー１５を押し込む動作をすることでロックボタン１１が解除され、フルストロークの状態が解除される。
【００２７】
このような操作レバー１５には、操作レバー１５の片側片から平板形状で突出して形成したガイドレール１３を備えている。このガイドレール１３は、スイッチ本体１２に設けてあるガイド溝１６に係合するもので、平板形状に形成した略中央位置に略楕円形状に形成したボタンロックガイド穴１４を設けた構造となっている。
更に、このガイドレール１３には、ロックボタン嵌合部２１に取り付けたロックボタン１１が外れないようにガイドする凸状に形成したボタンガイド部１７ａ、１７ｂを備えている。
【００２８】
このボタンロックガイド穴１４は、ロックボタン１１の中心ノブの先端に設けてある抜止鍔部に係合するもので、全体として楕円形状に形成し、その先端側の穴の内径にテーパを施した構造となっている。
【００２９】
ボタンガイド部１７ａ、１７ｂは、ガイドレール１３の両端側を凸部の線状になるように設け、その線状に設けたボタンガイド部間の幅がロックボタン１１の抜止鍔部２４の短手方向の長さを許容し、長手方向の長さを許容しない幅に設定されている。
これは、ロックボタン１１をロックボタン嵌合部２１に嵌合したときにロックボタン１１を略９０度回動させて抜止鍔部２４で挿入孔の出口端に抜止して係合させているときに、その短手側の側面を回動しないようにガイドすることでロックボタン１１が抜けないようにするためである。
【００３０】
ロックボタン１１は、図２、図３、図４及び図５に示すように、傘状に形成され、周囲にアールを施した円筒形状に形成された押しボタン部２２と、押しボタン部２２の裏側中心位置から突出形成された中心ノブ２３を備え、この中心ノブ２３の先端にロックボタン１１を回転させてロックするための鍔状に形成し且つＵ字型形状の長円に形成した抜止鍔部２４を備え、押しボタン部２２の裏側にはバネ２５を係合するスペースを有するバネ係合凹部２６を備えた構造となっている。
【００３１】
中心ノブ２３は円筒形状に形成され、この中心ノブ２３に連設して端部に設けた抜止鍔部２４は、所定厚みのＵ字型形状の長円に形成されている。このＵ字型形状の長円に形成した抜止鍔部２４の最短の部分がガイドレール１３のボタンガイド部１７ａ、１７ｂに係合して抜止に寄与すると共に、ガイドレール１３のボタンロックガイド穴１４に係合して操作レバー１５をロックする。
即ち、ロックボタン１１は、スイッチ本体１２に設けてあるロックボタン嵌合部２１のＵ字型形状の長円に形成されたボタン挿入孔に抜止鍔部を挿通させ、挿通させた後に９０度回転させることでボタン挿入孔の出口端に係合させて装着する構造となっている。
【００３２】
ロックボタン嵌合部２１は、図２及び図６に示すように、ガイド溝１６の略中央位置に配置され、円筒形状のロックボタン１１が係合できるように、全体として円筒形状に形成され、外側の筒である外側筒２７と外側筒２７よりも縮径に形成された内側筒２８と、外側筒２７と内側筒２８との間のスペースがバネ２５を係合するバネ係合凹部２９とし、内側筒２８の内側がロックボタン１１の中心ノブ２３及び抜止鍔部２４を挿通させるためのボタン挿入孔３１を形成する。
【００３３】
ボタン挿入孔３１は、ロックボタン１１の抜止鍔部２４が遊嵌合できる同じ形状のＵ字型形状の長円に形成され、その長円の長さ方向はガイド溝を横切る方向、即ち、直交する方向に形成されている。
このようなボタン挿入孔３１にロックボタン１１を取り付ける際にＵ字型形状の長円に形成された抜止鍔部２４をボタン挿入孔３１に遊嵌合させ、嵌合させた後に右或いは左方向に９０度回転させることで抜止鍔部２４の長手方向の端縁がボタン挿入孔３１の出口端に係合することでロックボタン１１を係合係止する。
【００３４】
このような構造からなるロックボタン１１及びロックボタン嵌合部２１における組み立ては、先ず、ロックボタン嵌合部２１のバネ係合凹部２９にバネ２５を差し込み、ロックボタン１１のバネ係合凹部２６にバネ２５を係合させ、ロックボタン１１の中心ノブ２３の先端側の抜止鍔部２４をロック嵌合部２１のＵ字型形状の長円に形成されたボタン挿入孔３１に合わせて差し込み、差し込んだ後に右或いは左方向９０度回動させることでロックボタン１１を組み立てる。ボタン挿入孔３１に差し込んだ抜止鍔部２４は、回動させることで、Ｕ字型形状の長円に形成した最長部がボタン挿入孔３１の最短部の出口端に係合することで抜止される。
【００３５】
図７、図８、図９に示すものは、ロックボタン１１を組み立て、ロックされていない、所謂、ロックオフの状態を示したもので、操作レバー１５はスイッチ本体１２内部に収容されているバネにより外方向に付勢され、ガイドレール１３はガイド溝１６に収容されロックボタン１１の位置から外れた位置にボタンロックガイド穴１４が対峙した状態となる。そのため、ロックボタン１１を押してもガイドレール１３の表面でブロックされ、ロックできない。
又、ロックボタン１１がボタン挿入孔３１に差し込まれているときの抜止鍔部２４はＵ字型形状の長円に形成した最長部でボタン挿入孔３１に抜止され、且つガイドレール１３のボタンガイド部１７ａ、１７ｂで抜止鍔部２４の両側を挟むようにすることでロックボタン１１を回動できないようにしている。
【００３６】
図１０、図１１、図１２に示すものは、ロックボタン１１を組み立て、ロックされている、所謂、ロックオンの状態を示したもので、操作レバー１５を押し込んだ状態のときにボタンロックガイド穴１４にロックボタン１１の抜止鍔部２４が臨んだ状態となり、この状態のときにロックボタン１１を押すことによりボタンロックガイド穴１４に抜止鍔部２４が入り込み、抜止鍔部２４の側面にボタンロックガイド穴１４の開口端部が当接した状態となり抜止鍔部２４がボタンロックガイド穴１４の端部に係合してロックし、その状態を維持する。
このロックは、ロックされている操作レバー１５を更に少し引き込むことで、ボタンロックガイド穴１４に係止している抜止鍔部２４が外れ、バネの付勢力によりロックボタン１１が外れる方向に動き抜止鍔部２４がボタンロックガイド穴１４から外れた外方向に動くことによりロック状態は簡単に外すことができるのである。
【産業上の利用可能性】
【００３７】
ロックボタンを組み立てるときの圧入による組み立てを回避して圧入方式から挿入後回動させる構造にしてロックボタンの捲れを無くし、トリガーロック不良を無くすこと、及び冶具を使用しないで組み立てることができるように簡素化したトリガースイッチを提供する。
【符号の説明】
【００３８】
１１      ロックボタン
１２      スイッチ本体
１３      ガイドレール
１４      ボタンロックガイド穴
１５      操作レバー
１６      ガイド溝
１７ａ    ボタンガイド部
１７ｂ    ボタンガイド部
２１      ロックボタン嵌合部
２２      押しボタン部
２３      中心ノブ
２４      抜止鍔部
２５      バネ
２６      バネ係合凹部
２７      外側筒
２８      内側筒
２９      バネ係合凹部
３１      ボタン挿入孔
１１１    ロックボタン
１１２    スイッチ本体
１１３    ガイドレール
１１４    ボタンロックガイド穴
１１５    操作レバー
１１６    ガイド溝
１１８    圧入部材
１２１    ロックボタン嵌合部
１２２    押しボタン部
１２３    中心ノブ
１２４    抜止鍔部
１２５    バネ
１２６    バネ係合凹部
１２７    外側筒
１２８    内側筒
１２９    バネ係合凹部
１３１    ボタン挿入孔
【図１】
0005492645.tif 000002
【図２】
0005492645.tif 000003
【図３】
0005492645.tif 000004
【図４】
0005492645.tif 000005
【図５】
0005492645.tif 000006
【図６】
0005492645.tif 000007
【図７】
0005492645.tif 000008
【図８】
0005492645.tif 000009
【図９】
0005492645.tif 000010
【図１０】
0005492645.tif 000011
【図１１】
0005492645.tif 000012
【図１２】
0005492645.tif 000013
【図１３】
0005492645.tif 000014
【図１４】
0005492645.tif 000015
【図１５】
0005492645.tif 000016
【図１６】
0005492645.tif 000017
【図１７】
0005492645.tif 000018
【図１８】
0005492645.tif 000019
【図１９】
0005492645.tif 000020
【図２０】
0005492645.tif 000021
【図２１】
0005492645.tif 000022
【図２２】
0005492645.tif 000023
【図２３】
0005492645.tif 000024